(57)【要約】本発明は、複数の個別のテレビジョンセット（５４、５６、５８）とテレビジョンセット（５４、５６、５８）に表示するためにデジタルテレビジョン信号をデコードするための手段とを備える分散デジタルテレビジョンシステム（５２）を提供しており、デコードするための手段は、それぞれ複数の配信信号デコード装置（６２、６６、７２）を備え、デコード許可データをシステム内の複数のテレビジョンセット（５４、５６、５８）を繋げるネットワーク上に転送すると共に、１つのテレビジョンセット（５４、５６、５８）に関するデジタルデコード装置（６２、６６、７２）から他のテレビジョンセット（５４、５６、５８）に関するデジタルデコード装置（６２、６６、７２）へ転送するための手段（７８、８６）を更に含む。
2004517530.tif 000002
【特許請求の範囲】
【請求項１】
分散デジタルテレビジョンシステムであって、
複数の個別のテレビジョンセットと、
デジタルテレビジョン信号を、前記テレビジョンセットに表示するために、デコードするための手段と、
を備え、
前記デコードするための手段は、
それぞれ複数の配信信号デコード装置を備え、
デコード許可データを当該システム内の複数の前記テレビジョンセットを繋げるネットワーク上に転送すると共に、１つのテレビジョンセットに関するデジタルデコード装置から他のテレビジョンセットに関するデジタルデコード装置へ転送するための手段を更に含む、
ことを特徴とする分散デジタルテレビジョンシステム。
【請求項２】
請求項１に記載のシステムにおいて、
前記ネットワークは、デジタルテレビジョン信号を前記テレビジョンセットへ供給するためのテレビジョン信号配信ネットワークを備えることを特徴とするシステム。
【請求項３】
請求項１または２に記載のシステムにおいて、
前記ネットワークが、前記分散システムの無線周波数加入者岐線ケーブルにより形成されていることを特徴とするシステム。
【請求項４】
請求項１、２、または、３のいずれかに記載のシステムにおいて、
前記デコード許可データは、前記テレビジョンセット間でセキュリティの個別暗号化レイヤ下において転送されるよう構成されていることを特徴とするシステム。
【請求項５】
請求項１から５のいずれかに記載のシステムにおいて、
前記各テレビジョンセットは、それぞれデジタルデコード装置を含むことを特徴とするシステム。
【請求項６】
請求項１から５のいずれかに記載のシステムにおいて、
前記デジタルデコード装置は、コード化されたデジタルテレビジョン信号を受信すると共に、前記テレビジョンセット内においてローカルに、あるいは、システム内の他のテレビジョンセットにおいて遠隔的にデジタルテレビジョン信号をデコード許可するためのデコード許可データを入力および出力するよう構成されていることを特徴とするシステム。
【請求項７】
請求項１から６のいずれかに記載のシステムにおいて、
デコード許可データは、暗号化キー情報を備えることを特徴とするシステム。
【請求項８】
デジタルテレビジョン機器であって、
コード化されたデジタルテレビジョン信号を受信するためのデジタル信号デコード装置と、
当該機器内においてローカルに、あるいは、更なるデジタルテレビジョン機器において遠隔的に、デジタルテレビジョン信号のデコードを制御するデコード許可データを入力および出力する手段と、
を備えることを特徴とするデジタルテレビジョン機器。
【請求項９】
請求項８のいずれかに記載の機器において、
デコード許可データを受信デジタルテレビジョン信号から分割するためのデマルチプレキシング手段を含む、一対のテレビジョンセットとデジタルデコード装置を備えることを特徴とする機器。
【請求項１０】
複数の個別のテレビジョンセットを備えるデジタルテレビジョンシステム内において、デジタルテレビジョン信号の配信を制御する方法であって、
デジタルテレビジョン信号を、前記テレビジョンセットに表示するために、デコードする工程を備えるとともに、
入力テレビジョン信号をローカルに各テレビジョンセットにおいてデコードする工程と、
デコード許可データをシステム内のテレビジョンセット間に配信し、１つのテレビジョンセットに関するデジタルデコード装置からのデコード許可データを、他のテレビジョンセットに関するデジタルデコード装置と連携して処理するために転送できるようにする工程と、
を特徴とする方法。
【発明の詳細な説明】
【０００１】
【発明の属する技術分野】
本発明は、分散デジタルテレビジョンシステムに関するものであり、そのシステムは、複数の個別のテレビジョンセットと、テレビジョンセットに表示するためにデジタルテレビジョン信号をデコードするための手段とを備える。
【０００２】
【従来の技術】
複数のテレビジョンセットを使用する現在利用可能なテレビジョンシステムは、特に家庭用市場向けのものは、概して、受信したテレビジョン信号を信号スプリッタに供給するようにする単一のアンテナを使用している。信号スプリッタは、複数の出力信号を、例えば、住宅の適切な位置に配置したそれぞれの複数の個別のテレビジョンセットに提供するようにする。
【０００３】
アナログテレビジョン受信システムでは、各テレビジョンセットは、同じあるいは異なる番組情報を等しく受信することができ、全てのテレビジョンセットとそれに関する受信機は、同一のハードウエア機能を有する傾向にある。
【０００４】
このような分散テレビジョンシステムは、特に２つ以上のテレビジョンセットを有する世帯数が増えるにつれて、人気が増加しており、そのため、デジタルテレビジョンの人気も高まっている。このように、現在利用可能なアナログシステムの機能を完全になぞらえた、例えば、家庭用分散デジタルテレビジョンシステムを提供することが、当然望まれる。
【０００５】
デジタルテレビジョン受信システムを使用する際に主に認められる利点の一つは、画像品質が向上しチャンネル／番組の選択幅が増加することに加え、所定のチャンネルおよび／または番組をうまく受信して視聴できるようにするセキュリティを強化するという特徴を、システムに簡単に組み込み可能なことである。
【０００６】
現在、デジタルテレビジョンは、３つのセキュリティ基本レベルを備えている。第一に、登録されていない、すなわち、「オープン」送信が利用できることで、そこでは、データ内容は、セキュリティ面を強化するためのいかなる方法にも修正されず、信号解読について何もレベルの追加を要せずに適切なデジタルセグメントデコーダを用いて暗号化エンジン等により簡単にデコードが可能である。第二に、いわゆる暗号化された「フリーツーエア」送信が、規定されており、そこでは、データ内容は、暗号化されるが、受信機が、適切な暗号化エンジンを含んでいる限り、データ内容のデコードと解読ができるように、デコーダハードウエアに暗号解読キーを簡単に入手することができる。
【０００７】
最後に、いわゆる暗号化された「ペイ」送信という手段により規定されたセキュリティの最高レベルのものがあり、そこでは、データ内容が、暗号化されていることに加え、暗号解読キーは、特別な暗号化エンジンのために制限された基準に基づいてのみ入手可能であり、それにより、所定チャンネル／番組への条件付アクセスのみが、利用可能となる。
【０００８】
米国特許第５、９３６、６６０において、上述の種類の家庭向けデジタルビデオ変換システムが、開示されており、そこでは、あるチャンネル／番組に条件付アクセスできる信号に対するマルチプル変換チェーンを、単一のシャシー内に極めて近接して収容しており、そのシャシーは、家庭用システムを定める複数のテレビジョンに接続する。
【０００９】
【発明が解決しようとする課題】
しかし、このような装置では、共通シャシー内に暗号化エンジンを一局集中して搭載することにより、システム悪用に対するセキュリティが制限され、また、なんらかのシステム再構成が必要な場合に、シャシーに手作業が必要になるという点において不都合がある。
【００１０】
本発明は、このような既知のシステムと方法に対して有利な分散デジタルテレビジョンシステムとそれに関する方法を提供することを探求している。
【００１１】
【課題を解決するための手段】
本発明の一態様によると、上述の種類の分散デジタルテレビジョンシステムを提供しており、デコードするための手段は、それぞれ複数の配信信号デコード装置を備え、デコード許可データをシステム内の複数のテレビジョンセットを繋げるネットワーク上に転送すると共に、１つのテレビジョンセットに関するデジタルデコード装置から他のテレビジョンセットに関するデジタルデコード装置へ転送するための手段を更に含むことを特徴とする。
【００１２】
本発明は、制限されたテレビジョン信号へのアクセスが、ローカルテレビジョンネットワーク内の任意の複数テレビジョンセットにおいて簡単にできる点において、特に有利である。
【００１３】
請求項２の特徴は、デコード許可データの転送を制御するための特に効率的で有効な手段を有利に提供している。
【００１４】
請求項３の特徴は、標準テレビジョン信号配信システムに関連して生じる特徴に対する本発明の適応性を更に高めている。
【００１５】
請求項４の特徴は、デコード許可データ自体を分けることに関して特別のセキュリティレイヤを提供する点で有利である。
【００１６】
請求項５および６の特徴により、ノードへ及びノードからデジタルテレビジョン信号とデコード許可データを伝達可能な、ネットワーク内のノードを定めるのにあたって特に有利であることがわかる。
【００１７】
【発明の実施の形態】
さらに本発明を例示のみを用いて添付図面を参照に以下に説明する。
【００１８】
まず図１を見ると、家庭用アナログＴＶ受信システム１０の概要が示されており、それは、当該技術において現在既知であり、アナログテレビジョン信号を受信すると共に同信号を信号スプリッタ１４に供給する単一のアンテナ１２を備えている。この信号スプリッタ１４は、オンワード送信のための信号を、各々が各受信用ハードウエア２２、２４、２６とディスプレイハードウエア２８、３０、３２を含む３つの個別のテレビジョンセット１６、１８、２０に分ける。
【００１９】
理解されるように、各アナログテレビジョンセット１６、１８、２０は、アンテナ１２において受信したどのアナログ信号をも等しく受信可能であり、それによりシステム１０の受信行為により各ディスプレイ２８、３０、３２の各々において最大に視聴選択できるようにする。
【００２０】
本発明の核心は、配信ネットワークに備わる複数デジタルテレビジョンセットの各々において、このような表示の選択を素早く提供することである。
【００２１】
図２については、当該技術に現在既知のデジタルテレビジョンセット３４の構成図が示されている。デジタルテレビジョンセット３４は、入力デジタルＴＶ信号を受信するための受信ユニット３６を備えており、そのＴＶ信号は、次にスマートカードモジュール３８に供給され、そのスマートカードモジュール３８は、直列に、受信機３６において受信した入力デジタル信号から信号を受信して分離するためのデマルチプレクサ４０と、暗号化キー情報４４のようなデコード許可データの管理下で作動してマルチプレキサ４０から出力されたコード化信号を解読する暗号化エンジン形式の解読ユニット４２とを備える。
【００２２】
解読された信号は、その後、例えば、圧縮されたデータを復元してデジタルテレビジョンセット３４のディスプレイユニット５０に続けて表示するようにするＭＰＥＧデコーダの形式でデコーダ４６に供給される。理解されるように、暗号化された「ペイド」送信が、暗号化キー４４の選択的管理下において解読されて、それによりデジタルテレビジョンセット３４のディスプレイ５０において実際に視聴可能な番組／チャンネルを制御するのは、スマートカードモジュール３８内において行われる。
【００２３】
本発明は、ネットワーク装置に関しており、そこでは暗号化キー情報形式でのデコード許可データ自体を、異なるデジタルテレビジョン受信機に関するスマートカードモジュール間において転送することができる。これにより、分散テレビジョンシステムが、任意の特定許可番組／チャンネルを任意の個別のテレビジョンの１つにおいて視聴するようにする方法を高めるための効率的だがセキュア（ｓｅｃｕｒｅ）な手段を提供できる。
【００２４】
図２の基本的な従来技術のデジタルテレビジョンからわかるように、視聴者が、セキュアな放送を、その特別にセキュアな「ペイド」放送に対するキー情報を有するスマートカードモジュールを含む受信機とは異なる受信機で視聴しようとする時に、特別な問題が、視聴者側から生じる。視聴者は、物理的モジュールをスワップする必要があり、これは、概して適切ではなく、不便で時間のかかるものである。
【００２５】
図３は、本発明の一実施形態による分散テレビジョンシステムの複数のデジタルテレビジョンセットを概略的に表しており、それは、簡単にこのような欠点を克服するにようなっている。
【００２６】
図３は、ネットワークとして接続した分散デジタルテレビジョンシステム５２を示しており、それは、３つのデジタルテレビジョンセット５４、５６、５８とからなる。デジタルテレビジョンセット５４は、暗号化キーデータ６０と暗号化エンジン６２とからなるスマートカードモジュールを含み、デジタルテレビジョンセット５６は、暗号化キーデータ６４と暗号化エンジン６６とを含むスマートカードモジュールを含み、デジタルテレビジョンセット５８は、暗号化キーデータ６８と暗号化エンジン７０とからなるスマートカードモジュールを含む。
【００２７】
図示の例では、主にデジタルテレビジョンセット５４に関する暗号化キー情報６０は、暗号化された「ペイド」送信を提供するようになっており、その「ペイド」送信では、所定のテレビジョンチャンネル／番組が許可されて視聴できるようにするために、暗号化キーデータを必要とする。テレビジョンセット５６のスマートカードモジュールは、内部に設置されたスマートカードデータ６４が、暗号化されていない「オープン」送信を提供するようになっており、その「オープン」送信では、データ内容は、どの特別に制御された方法においても変更されず、標準デコードを必要としている。しかし、デジタルテレビジョンセット５８の暗号化キーデータ６８は、「フリーツーエア」送信の暗号解読を提供するようになっており、その「フリーツーエア」送信では、データ内容は、暗号化されるが、暗号解読キーは、一般的に知られており自由に入手可能である。
【００２８】
図３には、信号配信ネットワーク７２も図示されており、それは、システム５２の個別のデジタルテレビジョンセットを繋げるようにしており、また、有利にデコード許可データをセキュアに送信し、概して、あるテレビジョンセットの暗号化エンジンと他のテレビジョンセットのスマートカードモジュールとの間において２方向データ転送するようにしている。ローカルネットワーク７２により行われるデータ交換は、既知のテレビジョン分散システム内にある標準無線周波数加入者岐線ケーブルにより形成されたネットワークを介して有利に成し遂げられる。従って、１つの信号配信ネットワーク７２を、家庭用環境にある受信機間に有利に使用でき、さらにこの例を示すと、５０ＭＨｚ未満の周波数スペクトルをＶＨＦ／ＵＨＦテレビジョン分散システムにおいて他には使用しないので、このようなスペクトルをデコード許可データの転送に有利に用いている。
【００２９】
既に述べたように、暗号化キー情報を転送するようにするローカルネットワーク７２を別の追加暗号化レイヤによって強化し、本発明を実施するネットワークに追加セキュリティレイヤを加えることもできる。
【００３０】
図示の例では、矢印ＡとＢは、デコード許可データが、本発明を実施するシステム内のテレビジョンセット５４、５６、５８の間で転送される様子を示す。テレビジョンセット５４に関するデコード許可データを、テレビジョンセット５８内に設置される暗号化エンジン７０と連携して処理するために実際に転送でき、一方、テレビジョンセット５８のスマートカードモジュール６８に関連して発生するデコード許可データ自体をテレビジョンセット５４に関する暗号化エンジン６２と連携して処理するために転送できるという特定の状況を示している。
【００３１】
このように、視聴するのに特別な許可を必要とするテレビジョン番組／チャンネルを、システム内の２つ以上のテレビジョンセットで選択的に視聴することができ、図３に示す例では、このようなチャンネル／番組を、テレビジョンセット５８において視聴できる。
【００３２】
このように、本発明は、システム内の分散デジタルテレビに繋がるネットワークを介してデコード許可データを有利に交換でき、デコード許可データを、効率的にシステム内のデジタルテレビジョンセット間で分かちあうことができ、それにより、視聴者が、セキュアでかつ効率的な方法により、特別にセキュアなチャンネル／番組放送を視聴できるテレビジョンセットを、簡単に選択可能になることが理解されるであろう。
【００３３】
図３に関して示したシステムは、システムが、保護番組／チャンネルの表示を１つのテレビジョンセットにのみ制限して望まない保護番組／チャンネルを複数視聴することを避けるようにしている点でさらに有利である。
【００３４】
ここで、図４を見ると、図３に示すような分散デジタルテレビジョンシステムのテレビジョンセット５４が、示されており、適切な部分に同じ参照番号が、付与されている。
【００３５】
本発明の一実施形態により使用するテレビジョンセット５４は、デマルチプレキサ７４を含む信号受信装置を備え、そのデマルチプレキサ７４は、入力信号をデジタルテレビジョン信号と暗号化キーデータ形式のデコード許可データとに、スマートカードモジュール７８において使用するために、分割するようになっている。デマルチプレキサ７４へ出力されるデジタルテレビジョン信号は、受信ユニット７６に供給され、その後、スマートカードモジュール７８に渡され、そのスマートカードモジュール７８は、直列に、デジタルテレビジョン信号を別々の信号に分けるためのデマルチプレキサ８０と暗号化キーデータ６０に従って受信コード化信号を解読するための暗号化エンジンとを含む。図２に示す標準デジタルテレビジョン受信機におけるのと同様に、暗号化エンジン６２から出力された信号は、ディスプレイユニット８４に続けて表示するため信号を圧縮するためにＭＰＥＧデコーダ８２に供給される。
【００３６】
理解されるように、暗号化キー情報６０は、暗号化エンジン６２が、デジタルテレビジョン信号を処理し解読する方法を決定するようにしており、デマルチプレキサ８０からの出力は、ローカルに生成されたキーデータか、あるいは択一的に、無線周波数ＬＡＮインターフェース８６を介して供給されてきたキーデータかから成り、そのインターフェース８６自体が、デマルチプレキサ７４で入力信号からデコード許可データを検索してきている。
【００３７】
スマートカードモジュール７８は、暗号化キー処理装置６０においてキー管理ハードウエアをも含んでおり、そのハードウエアは、家庭用分散テレビジョンシステム内の他の受信機と通信するようになっている。デマルチプレキサ７４は、キー管理ハードウエアが、家庭内の他の受信機と例えばテレビジョンセット間に設置された無線周波数ＬＡＮを介して通信できるようにするマルチプレキシング機能をも有する。
【００３８】
理解されるように、現在説明中の実施形態によると、既知の家庭用テレビジョン分散システムに必要な唯一の変更を、家庭内にあるテレビジョン受信機と信号スプリッタに対して組み込むことのみを必要とする。現在存在する同軸ケーブルを利用して、本発明の特に有利な実施形態に関して必要なセキュアなローカルネットワークを提供することができる。
【００３９】
ここで図５をみると、本発明の実施形態によるシステムを示す概略構成図が、示されており、それは、各々が図４に図示したものと同様である３つのテレビジョンセットを用いた分散デジタルテレビジョンシステムを示している。
【００４０】
このように、図５は、ローカルエリアネットワーク８６により接続した３つの分散デジタルテレビジョンセット５４、５６、５８を示しており、そのローカルエリアネットワーク８６自体は、デジタルテレビジョン信号をアンテナ８８から受信するようになっている。アンテナ８８において受信した信号は、アイソレーション増幅器９０に供給され、その出力は、入力デジタルテレビジョン信号を３つの別々の信号に分ける信号スプリッタ９２に接続している。これらの別々の３信号の各々は、３つの各テレビジョンセット５４、５６、５８のそれぞれにおいて受信されるようになっており、そのため各信号は、それぞれのテレビジョンセットにそれぞれの広域フィルタ９４、９６、９８により送信可能であり、その広域フィルタは、各テレビジョンセットに関する暗号化キー管理ハードウエア間の通信を可能にするネットワークのフィルタ装置の一部を形成している。
【００４１】
前述の通り、本発明の一実施形態によると、デコード許可データを、テレビジョンシステム内の個別のテレビジョンセット間において、ＶＨＦ／ＵＨＦＴＶ分散システムでは他には使用しない５０ＭＨｚ未満の周波数を用いて、転送することができる。このように、デコード許可データをテレビジョンセット５４から５８間において転送できるネットワークは、それぞれ、低域フィルタ１００、１０２、１０４を用いており、その低域フィルタは、前述のような広域フィルタ９４、９６、９と組み合わさって、デコード許可データが個別のテレビジョンセット５４、５６、５８を繋げるネットワークへ転送されるのを制限するようになっている。
【００４２】
従って、このように、効率的かつセキュアな方法で、図１に示すような現在既知のアナログ受信システムと少なくともほぼ同等にシステム内の受信行為を達成できる分散テレビジョンシステムを提示してきたことを理解すべきである。
【００４３】
しかし、本発明は、上記の実施形態の詳細に制限されないことを理解すべきである。例えば、代替として、ブルートゥース（Ｂｌｕｅｔｏｏｔｈ）（スエーデンのテレフォンアクティボラゲットＬＭエリクソン（Ｔｅｌｅｆｏｎａｋｔｉｅｂｏｌａｇｅｔ  ＬＭ  Ｅｒｉｃｓｓｏｎ）の商標）無線ＬＡＮを使用することができる。しかし、全テレビジョン受信機が、共通テレビジョン信号配信点に接続していなければならないことを考えると、１つの特別な特徴が生じるため、このようなシステムのセキュリティ面は、上記に示したものほど有利ではないと考えられる。さらに、例えば、暗号化キーデータ交換に加えて、無線周波数配信ネットワークを使用して、インターネットデータを分散システム内に接続するテレビジョンセット間において伝達することもできるであろう。
【図面の簡単な説明】
【図１】
図１は、現在既知の家庭用アナログＴＶ受信システムの概略的なブロック図を示す。
【図２】
図２は、現在既知の標準デジタルＴＶ受信機の概略的なブロック図を示す。
【図３】
図３は、本発明の一実施形態による、キー許可要求をセキュアに送信可能にするＴＶ受信機のローカルネットワークを概略的に示す。
【図４】
図４は、本発明の一実施形態により使用するのに適合したデジタルＴＶ受信機の概略的なブロック図を示す。
【図５】
図５は、本発明を実施する分散デジタルテレビジョンシステムを示す概略図である。
【国際公開パンフレット】
2004517530.tif 000003
2004517530.tif 000004
2004517530.tif 000005
2004517530.tif 000006
2004517530.tif 000007
2004517530.tif 000008
2004517530.tif 000009
2004517530.tif 000010
2004517530.tif 000011
2004517530.tif 000012
2004517530.tif 000013
2004517530.tif 000014
2004517530.tif 000015
2004517530.tif 000016
【国際調査報告】
2004517530.tif 000017
2004517530.tif 000018